(57)【要約】      （修正有）【課題】モバイルデバイスが、複数の電子的加入者識別モジュール（ｅＳＩＭ）を有する構成において、ｅＳＩＭとｅＳＩＭのコンテンツを識別しアクセスする方法を提供する。【解決手段】モバイルデバイス内の組込み形ユニバーサル集積回路カード（ｅＵＩＣＣ）は、複数のｅＳＩＭを収容することができる。ｅＳＩＭは独自のファイル構造とアプリケーションとを備える。ｅＳＩＭのアプリケーションへのアクセスは、アクセスリクエストに応じて、ｅＳＩＭ識別情報とｅＳＩＭのアプリケーションの識別情報とに対応して割り当てられた論理チャネルを介して行うことが可能となる。【選択図】図２
2016029791.tif 000002
【特許請求の範囲】
【請求項１】
組込み形ユニバーサル集積回路カード（ｅＵＩＣＣ）により管理される電子的加入者識別モジュール（ｅＳＩＭ）のアプリケーションへアクセスするための方法であって、
前記ｅＵＩＣＣにおいて、
前記ｅＵＩＣＣにより管理される第１のｅＳＩＭのアプリケーションへアクセスするリクエストをベースバンドプロセッサから受け取るステップであって、前記アプリケーションは、第２のｅＳＩＭのアプリケーションで共有されるアプリケーション識別情報（ＡＩＤ）に関連付けられているステップと、
前記リクエストに応じて、前記第１のｅＳＩＭに、前記第１のｅＳＩＭと関連付けられているｅＳＩＭ識別情報（ｅＳＩＭ  ＩＤ）と前記ＡＩＤとの両方に対応する論理チャネルを割り当てるステップと、
前記ベースバンドプロセッサが、前記論理チャネルを介して前記第１のｅＳＩＭの前記アプリケーションへアクセスすることを可能にするステップと、を含む方法。
【請求項２】
前記第１のｅＳＩＭの各アプリケーションは、ユニークなＡＩＤに関連付けられていることを特徴とする請求項１に記載の方法。
【請求項３】
前記ｅＵＩＣＣにより管理される各ｅＳＩＭはユニークなｅＳＩＭ  ＩＤに関連付けられていることを特徴とする請求項２に記載の方法。
【請求項４】
前記第１のｅＳＩＭの前記アプリケーションへアクセスするために、前記ベースバンドプロセッサは、前記論理チャネルを介して、アプリケーションプロトコルデータユニット（ＡＰＤＵ）ヘッダを有するＳＥＬＥＣＴ（ｅＳＩＭ  ＩＤ，ＡＩＤ）コマンドを発行し、前記ＡＰＤＵヘッダは選択されるエレメントを判定するＰ１及びＰ２フィールドを含むことを特徴とする請求項１に記載の方法。
【請求項５】
少なくとも２つのｅＳＩＭが、前記ｅＵＩＣＣ内で同時にアクティブであることを特徴とする請求項１に記載の方法。
【請求項６】
前記ベースバンドプロセッサは、異なる論理チャネルを使って前記ｅＵＩＣＣ内の異なるアクティブなｅＳＩＭのアプリケーションへ同時にアクセスすることを特徴とする請求項１に記載の方法。
【請求項７】
モバイルデバイスであって、
電子的加入者識別モジュール（ｅＳＩＭ）を管理する組込み形ユニバーサル集積回路カード（ｅＵＩＣＣ）と、
ベースバンドプロセッサと、
少なくとも１つのメモリと、を備え、
前記少なくとも１つのメモリは、前記ベースバンドプロセッサにより実行されて、前記ベースバンドプロセッサに、
前記ｅＵＩＣＣに、第１のｅＳＩＭへの第１の論理チャネルを割り当て、第２のｅＳＩＭへの第２の論理チャネルを割り当てることを指示するステップであって、前記第１のｅＳＩＭと前記第２のｅＳＩＭとのそれぞれが同じアプリケーション識別情報（ＡＩＤ）に関連付けられているアプリケーションを含むステップと、
前記ｅＵＩＣＣに、前記第１のｅＳＩＭに関連付けられるｅＳＩＭ識別情報（ｅＳＩＭ  ＩＤ）と前記ＡＩＤとの両方を含むコマンドを発行するステップと、
前記第１の論理チャネルを使って前記第１のｅＳＩＭに含まれる前記アプリケーションへアクセスするステップと、
を実行させる命令を記憶するよう構成されていることを特徴とするモバイルデバイス。
【請求項８】
前記ＡＩＤは、前記第１のｅＳＩＭと前記第２のｅＳＩＭのそれぞれの異なるアプリケーションに関連付けられた他のＡＩＤの中でユニークであることを特徴とする請求項７に記載のモバイルデバイス。
【請求項９】
前記ｅＵＩＣＣにより管理される各ｅＳＩＭは、ユニークなｅＳＩＭ  ＩＤに関連付けられていることを特徴とする請求項７に記載のモバイルデバイス。
【請求項１０】
前記コマンドはＳＥＬＥＣＴ（ｅＳＩＭ  ＩＤ，ＡＩＤ）コマンドを含むことを特徴とする請求項７に記載のモバイルデバイス。
【請求項１１】
前記ＳＥＬＥＣＴ（ｅＳＩＭ  ＩＤ，ＡＩＤ）コマンドは、前記ｅＵＩＣＣ内の選択されるエレメントを判定するＰ１及びＰ２フィールドを含むアプリケーションプロトコルデータユニット（ＡＰＤＵ）ヘッダを有することを特徴とする請求項１０に記載のモバイルデバイス。
【請求項１２】
少なくとも２つのｅＳＩＭが前記ｅＵＩＣＣ内で同時にアクティブであることを特徴とする請求項７に記載のモバイルデバイス。
【請求項１３】
前記ベースバンドプロセッサは、異なる論理チャネルを使って、前記ｅＵＩＣＣ内の異なるアクティブなｅＳＩＭのアプリケーションへ同時にアクセスすることを特徴とする請求項７に記載のモバイルデバイス。
【請求項１４】
モバイルデバイスのベースバンドプロセッサにより実行されると、ステップを実行することにより、前記ベースバンドプロセッサにより発行されるコマンドを、前記モバイルデバイスの組込み形ユニバーサル集積回路カード（ｅＵＩＣＣ）により管理される特定の電子的加入者識別モジュール（ｅＳＩＭ）へ送るようにする命令を格納するコンピュータ可読記憶媒体であって、前記ステップは
前記ｅＵＩＣＣに、第１のｅＳＩＭへの第１の論理チャネルを割り当て、第２のｅＳＩＭへの第２の論理チャネルを割り当てることを指示するステップであって、前記第１のｅＳＩＭと前記第２のｅＳＩＭとのそれぞれが同じアプリケーション識別情報（ＡＩＤ）に関連付けられているアプリケーションを含むステップと、
前記ｅＵＩＣＣに、前記第１のｅＳＩＭに関連付けられるｅＳＩＭ識別情報（ｅＳＩＭ  ＩＤ）と前記ＡＩＤとの両方を含むコマンドを発行するステップと、
前記第１の論理チャネルを使って、前記第１のｅＳＩＭに含まれる前記アプリケーションへアクセスするステップと、
を含むことを特徴とするコンピュータ可読記憶媒体。
【請求項１５】
前記ＡＩＤは、前記第１のｅＳＩＭと前記第２のｅＳＩＭのそれぞれの異なるアプリケーションに関連付けられた他のＡＩＤの中でユニークであることを特徴とする請求項１４に記載のコンピュータ可読記憶媒体。
【請求項１６】
前記ｅＵＩＣＣにより管理される各ｅＳＩＭは、ユニークなｅＳＩＭ  ＩＤに関連付けられていることを特徴とする請求項１４に記載のコンピュータ可読記憶媒体。
【請求項１７】
前記コマンドはＳＥＬＥＣＴ（ｅＳＩＭ  ＩＤ，ＡＩＤ）コマンドを含むことを特徴とする請求項１４に記載のコンピュータ可読記憶媒体。
【請求項１８】
前記ＳＥＬＥＣＴ（ｅＳＩＭ  ＩＤ，ＡＩＤ）コマンドは、前記ｅＵＩＣＣ内の選択されるエレメントを判定するＰ１及びＰ２フィールドを含むアプリケーションプロトコルデータユニット（ＡＰＤＵ）ヘッダを含むことを特徴とする請求項１７に記載のコンピュータ可読記憶媒体。
【請求項１９】
少なくとも２つのｅＳＩＭが前記ｅＵＩＣＣ内で同時にアクティブであることを特徴とする請求項１４に記載のコンピュータ可読記憶媒体。
【請求項２０】
前記ベースバンドプロセッサは、異なる論理チャネルを使って、異なるｅＳＩＭのアプリケーションへ同時にアクセスすることを特徴とする請求項１４に記載のコンピュータ可読記憶媒体。
【発明の詳細な説明】
【技術分野】
【０００１】
本出願は、組込み形ユニバーサル集積回路カード（ｅｍｂｅｄｄｅｄ  Ｕｎｉｖａｒｓａｌ  Ｉｎｔｅｇｒａｔｅｄ  Ｃｉｒｃｕｉｔ  Ｃａｒｄ（ｅＵＩＣＣ））及び電子的加入者識別モジュール（ｅｌｅｃｔｒｏｎｉｃ  Ｓｕｂｓｃｒｉｂｅｒ  Ｉｄｅｎｔｉｔｙ  Ｍｏｄｕｌｅｓ（ｅＳＩＭ））に関する。特に、複数のｅＳＩＭ環境においてモバイルデバイスがｅＳＩＭのコンテンツへアクセスすることを可能にすることに関する。
【背景技術】
【０００２】
ほとんどのモバイルデバイスは、移動通信事業者（ＭＮＯ）により提供されるサービスへモバイルデバイスをアクセス可能にする取り外し可能なユニバーサル集積回路カード（ＵＩＣＣ）を受け取り、動作するように構成されている。特に、それぞれのＵＩＣＣは少なくともマイクロプロセッサと読み出し専用メモリ（ＲＯＭ）を備えている。ＲＯＭは、モバイルデバイスがＭＮＯに登録しＭＮＯと情報をやりとりするために利用することができる、異なるアプレットと認証データを格納するように構成されている。典型的には、ＵＩＣＣは、単一のＭＮＯプロファイルを格納するように構成され、モバイルデバイスに備えられるＵＩＣＣ受け口に挿入される小さな取り外し可能なカード（例えば、ＳＩＭカード）の形をしている。さらに近年の実装では、ＵＩＣＣはモバイルデバイスのシステムボードに直接に組込まれ、複数のＭＮＯプロファイルを格納するように構成される。これを電子的ＳＩＭ（ｅＳＩＭ）と称する。例えば、組込み形ＵＩＣＣ（ｅＵＩＣＣ）は、ローカルのＭＮＯのための1つのｅＳＩＭと国際的なＭＮＯのための別のＳＩＭを格納することができる。これらのｅＵＩＣＣは従来の取り外し可能なＵＩＣＣに対していくつもの長所を備えている。例えば、いくつかのｅＵＩＣＣは、ＭＮＯにより提供される拡張された機能にアクセスするためのｅＳＩＭの更新を容易にする書き換え可能なメモリを有する。ｅＵＩＣＣはモバイルデバイスにＵＩＣＣ受け口を備える必要性をなくす。ｅＵＩＣＣの実装はモバイルデバイスのフレキシビリティを高めるだけではなく、デザインを簡単にし、他の部品のためにスペースを解放する。
【０００３】
ｅＵＩＣＣは従来の取り外し可能なＵＩＣＣに対して多くの利益をもたらすが、ｅＵＩＣＣを実装することはどうやってｅＳＩＭのコンテンツへモバイルデバイスがアクセスするかという新たな課題を提案する。例えば、ＭＮＯはお互いにたくさんの同じプロパティを共有している。その結果、ｅＳＩＭは同じアプリケーション識別情報を有するアプリケーションを含むことができる。その結果、同様なものを共有する２以上のｅＳＩＭを含むｅＵＩＣＣを有するモバイルデバイスは、２以上のｅＳＩＭの特定の1つのアプリケーションを選択してアクセスすることがうまくいかないかも知れない。詳しくいうと、アプリケーションへアクセスするための既存のプロトコルはＡＩＤのみを参照することを伴う。これは、ＡＩＤ単独ではアプリケーションを含む特定のｅＳＩＭのアプリケーションをユニークに識別することはできないから、モバイルデバイスが特定のｅＳＩＭのアプリケーションへアクセスするのには不十分である。したがって、モバイルデバイス、とくにモバイルデバイスに備えられるプロセッサに、複数ｅＳＩＭ環境において、特定のｅＳＩＭのアプリケーション等の特定のｅＳＩＭコンテンツへアクセスできるようにする必要がある。
【発明の概要】
【課題を解決するための手段】
【０００４】
ｅＵＩＣＣは複数のｅＳＩＭを記憶でき、それぞれのｅＳＩＭは自身のコンテンツ（例えば、アプリケーションやファイル構造）を記憶できる。ｅＵＩＣＣ上の複数のｅＳＩＭの構成に伴って、どうやって同じｅＵＩＣＣに記憶されている異なるｅＳＩＭのコンテンツを識別してアクセスするかという問題が生じる。例えば、モバイルデバイスが既存のインターフェイスを使ってファイル識別情報（ＦＩＤ）により識別されるファイルへ読み出しコマンド（ｃｏｍｍａｎｄ）を送るとき、複数のｅＳＩＭ内に同じＦＩＤが存在しうるのでコンフリクト（ｃｏｎｆｌｉｃｔ）が生じうる。その結果、ｅＵＩＣＣはＦＩＤのみを使って特定のｅＳＩＭに対するファイルへアクセスすることはできないだろう。実施形態は、モバイルデバイスからｅＵＩＣＣへ送信可能な特別なコマンドを導入することにより、この問題に取り組むことをここで明らかにする。特に、特別なコマンドは選択のためにｅＳＩＭをユニークに識別する識別情報を含み、特別なコマンドはｅＵＩＣＣへｅＳＩＭの中に含まれるコンテンツを作動（ａｃｔｉｖａｔｅ）または非作動（ｄｅａｃｔｉｖａｔｅ）にすることを指示する。ｅＳＩＭを選択した後、モバイルデバイスはｅＳＩＭのコンテンツ（例えば、アプリケーションやファイル構造）を見ることができる。この様に、モバイルデバイスは、ｅＵＩＣＣに記憶された他のｅＳＩＭにまたがって同様なものが存在していても、ｅＵＩＣＣに記憶された特定のｅＳＩＭのコンテンツにアクセスすることができる。
【０００５】
さらに、アプリケーションに関連付けられているアプリケーション識別情報（ＡＩＤ）のみに基づいてアプリケーションへアクセスしようと試みるときは、ｅＵＩＣＣにコンフリクトが発生する可能性がある。この欠陥を救済するために、ｅＵＩＣＣによりｅＳＩＭへアクセスされる方法を区別するために論理チャネルを使用することができる。論理チャネルは、モバイルデバイスがｅＳＩＭの中の異なるアプリケーションへアクセスするために複数の論理チャネルをオープンできるように既存の標準に定められる。詳しくは、既存の標準はアプリケーションがアクセスされる前に、ｅＳＩＭのアプリケーションが最初に論理チャネルで選択されなければならないことを指示する。したがって、ｅＵＩＣＣで実行されるオペレーティングシステム（ＯＳ）は、ロジカルチャネルで選択されるｅＳＩＭの予備知識を有している。実施形態はここで、異なる論理チャネルで異なるｅＳＩＭの選択（アプリケーション自身に対して）を可能にするこの機能を拡張することをここで説明する。続いて、それぞれのアプリケーションはＳＥＬＥＣＴ（ｅＳＩＭ，ＡＩＤ）コマンドによりユニークに識別される。ｅＵＩＣＣと情報をやりとりするモバイルデバイスのターミナル（例えばベースバンドプロセッサ）は、例えばさまざまなｅＳＩＭ  ＩＤを管理することにより、ｅＵＩＣＣにより管理される異なるｅＳＩＭを知ることができる。このようにして、モバイルデバイスのプロセッサはｅＵＩＣＣの中の複数のｅＳＩＭにまたがって特定のアプリケーションに同時にアクセスすることができる。
【０００６】
この概要は、ここで記載される主題のいくつかの側面の基本的な理解を提供するために、いくつかの例示的実施形態を要約する目的で提供されるにすぎない。したがって、記載された機能は単に例示であり、どのような方法でも記載されている主題の範囲や精神を狭く解釈されるべきでないことが理解されるだろう。他の機能、側面、主題の利点は詳細な説明、図面及び特許請求の範囲から明らかになるだろう。
【図面の簡単な説明】
【０００７】
図面は説明の目的であり、無線コンピューティングデバイスに提供する開示された発明に係る装置及び方法についての例示的な構成及び配置を提供する。これらの図面は、実施形態の精神と範囲とを逸脱することなく当業者により実施形態に行われる形式的および詳細などんな変更も制限されない。実施形態は添付の図面と併せて次の発明の詳細な説明により容易に理解できるだろう。同じ参照番号は同様な構成要素を示す。
【図１】実施形態に係る様々な技術を実行するように構成されたＭＮＯ、基地局およびモバイルデバイスを含む無線システムの異なる構成要素を表すブロック図。
【図２】実施形態に係る図１のシステムの特定の構成のより詳細なブロック図。
【図３Ａ】実施形態に係るｅＳＩＭのブロック図。
【図３Ｂ】実施形態に係る複数のｅＳＩＭを記憶するｅＵＩＣＣのブロック図。
【図３Ｃ】実施形態に係るアプリケーションのファイル構造の詳細図。
【図４】実施形態に係るｅＵＩＣＣに含まれる特定のｅＳＩＭのアプリケーションの選択を表すタイミングチャート。
【図５Ａ】実施形態に係るアプリケーションを含む複数のｅＳＩＭの中の1つのｅＳＩＭのアプリケーションを選択しアクセスすることを表すタイミングチャート。
【図５Ｂ】実施形態に係る図５Ａのタイミングチャートをサポートするフレーム構造。
【図５Ｃ】実施形態に係る図５Ａおよび図５Ｂに関係する方法を表すフローチャート。
【図６Ａ】実施形態に係る複数のｅＳＩＭプロバイダからの複数のｅＳＩＭを記憶するｅＵＩＣＣのブロック図。
【図６Ｂ】実施形態に係る論理チャネルを使ってターミナルにより選択される複数のｅＳＩＭを記憶するｅＵＩＣＣのブロック図。
【図６Ｃ】実施形態に係る図６Ａおよび図６Ｂに関係する方法のフローチャート。
【図７】実施形態に係る様々な構成要素を実行することができるコンピューティングデバイスの詳細図。
【発明を実施するための形態】
【０００８】
次に説明される実施形態による装置および方法の代表的な応用がこのセクションで提供される。これらの例は単に記載された実施形態の理解の背景と助けを加えるために提供される。当業者にとってこれらの特定の詳細な記述の一部あるいは全てなしでここで説明される実施形態を実行できることは明らかである。他の例では、よく知られている処理ステップは実施形態の説明を不必要に分かりにくくすることを避けるために詳細に説明しない。以下の例に限定されないように、他の適用が可能である。
【０００９】
ＵＩＣＣは、ユニバーサルモバイルテレコミュニケーションシステム（ＵＭＴＳ）やロングタームエボリューション（ＬＴＥ）を含むセルラーネットワークのためのモバイル端末で使用されるスマートカード（ｓｍａｒｔ  ｃａｒｄ）である。特に、ＵＩＣＣは、加入者の個人データを完全かつ安全に保証しつつ、加入者をセルラーネットワークに対して認証する。ＵＩＣＣはモバイルサービスの正しい展開に使用するためのＭＮＯとエンドユーザとのためのアプリケーションを記憶している。ＵＩＣＣは、同時にいくつかのアプリケーションをホストする一般のマルチアプリケーションプラットフォームである。
【００１０】
ＵＩＣＣは、国際携帯機器加入者識別情報（ｉｎｔｅｒｎａｔｉｏｎａｌ  ｍｏｂｉｌｅ  ｓｕｂｓｃｒｉｂｅｒ  ｉｄｅｎｔｉｔｙ（ＩＭＳＩ））と携帯電話デバイス（携帯電話等）において加入者を識別し認証するのに使用される関連するキーを安全に記憶する集積回路であるＳＩＭを有している。初期の実装では、ＳＩＭ回路は取り外し可能なプラスチックカードに組込まれる。このプラスチックカードはＳＩＭカードと呼ばれ、異なるモバイルデバイスの間で移動することができる。ＳＩＭカードは、ユニークなシリアル番号、集積回路カードＩＤ（ＩＣＣＩＤ）、国際携帯機器加入者識別情報（ＩＭＳＩ）、セキュリティ認証情報及び暗号情報、ローカルネットワークに関する一時的な情報、ユーザがアクセスするサービスのリスト、認証情報（例えばパスワード）を持っている。
【００１１】
時間と共にＵＩＣＣの役割は発展し、加入者の管理下にある、唯一のネットワークのＭＮＯに所有される部分になっている。したがって、ＵＩＣＣはＭＮＯが加入者に対して安全にサービスを提供するために有益なツールである。そして、多くのモバイルハンドセットにおいて動作する携帯性と能力のために、ＵＩＣＣはＭＮＯにネットワークに特有なサービスを提供することと携帯電話が使用されているのに関係なくカスタマイズすることを可能にする。ＵＩＣＣのユニークさは、多様な向上した機能を全てのＭＮＯと加入者とに与える。
【００１２】
先に記載したように、ＵＩＣＣはモバイルデバイスのシステムボードに直接組み込まれ（すなわちｅＵＩＣＣ）、例えば、ローカルＭＮＯ用の1つのｅＳＩＭと国際ＭＮＯ用の他のｅＳＩＭのように、複数の電子的ＳＩＭ（ｅＳＩＭ）を管理できるように構成される。これらのｅＵＩＣＣは従来の取り外し可能なＵＩＣＣに対していくつもの利点を提供する。例えば、いくつかのｅＵＩＣＣは、ＭＮＯにより提供される拡張された機能にアクセスするためのｅＳＩＭの更新を容易にする書き換え可能なメモリを有する。特にそれぞれのｅＳＩＭは独自のファイル構造とアプリケーションを有することができる。解決すべき問題は、どうやって同じｅＵＩＣＣ上にある複数のｅＳＩＭを識別し、そのコンテンツにアクセスするかである。例えば、モバイルデバイスが、既存のインターフェイスを使ってＦＩＤにより識別されるファイルへ読み出しコマンドを送ると、同じＦＩＤが他のｅＳＩＭに存在する可能性があり、他のｅＳＩＭに関連する可能性があるためにコンフリクトが発生する可能性がある。その結果、ｅＵＩＣＣはＦＩＤにより識別される特定のファイルへどうアクセスするのか分からないだろう。
【００１３】
その他の考慮は以下のものがある：ＵＩＣＣの実装のための標準は、ＡＩＤがＳＩＭに実装されるアプリケーションを識別するために使用されることを規定する。ＡＩＤは、５バイトのアプリケーションプロバイダＩＤと１１バイト（もしくはそれより少ない）の個別利用ＡＩＤを有する。ＡＩＤは、例えばベンダーにより製造される間のように、カードが用意される間に決定される。ｅＵＩＣＣの実装についての問題は複数のｅＳＩＭ環境におけるＡＩＤのあいまいさに関する。すでに明らかにしたように、ｅＵＩＣＣは複数のｅＳＩＭを有することができる。特に、これらのｅＳＩＭは、例えばＡＴ＆ＴとＴ−モバイルのような、異なる、調整がされないソースからもたらされることがある。ＡＩＤのユニークさは異なるｅＳＩＭにまたがって保護（ｐｒｅｓｅｒｖｅ）されていないので、ある場合は、異なるソースは同じＡＩＤを使うことができる。したがって、アプリケーションが同じＡＩＤを共有する複数のｅＳＩＭを有する場合にコンフリクトが発生する。
【００１４】
前述の問題のために、実施形態は、モバイルデバイスがｅＵＩＣＣへ、ｅＵＩＣＣにより管理されるｅＳＩＭをユニークに識別する識別情報を有する特別なコマンドを送ることができることによる技術を説明する。特に、この特別なコマンドは、ｅＵＩＣＣにｅＳＩＭが有するコンテンツを作動または非作動にすることを指示することができる。ｅＳＩＭが選択されると、ｅＳＩＭのファイル構造とアプリケーションとは、モバイルデバイスにより既存のコマンド（例えば読み出しコマンド）を使ってアクセス可能にされる。モバイルデバイスは作動しているｅＳＩＭを非作動にしてから異なるｅＳＩＭを作動することにより異なるｅＳＩＭを選択することができる。前述の技術は、作動中のｅＳＩＭを有するｅＵＩＣＣをレガシーデバイスへ実装でき、レガシーデバイスでうまく動作することができるという、互換性の利益をもたらす。このような機能により、ｅＵＩＣＣは最後に選択したｅＳＩＭを記憶することが必要であり、レガシーデバイスの立ち上げが実行されると、ｅＵＩＣＣは自動的に前に選択されたｅＳＩＭを選択する。
【００１５】
前述したように、モバイルデバイスがｅＳＩＭ内の異なるアプリケーションへアクセスするために異なる論理チャネルをオープンすることができるような論理チャネルは、既存の標準に定義されている。本実施形態では、異なる論理チャネルで異なるｅＳＩＭ（アプリケーションに対して）の選択をするように機能を拡張することを説明する。この機能はモバイルデバイスが複数のｅＳＩＭ及び関連するコンテンツへ同時にアクセスすることを認める。複数のｅＳＩＭ環境において同じアプリケーションへアクセスすることに関し、解答は標準の外部エンティティの調整原理を利用して定義することができる。原理は：１）同じｅＳＩＭ内のＡＩＤがユニークである。すなわちｅＳＩＭベンダーにより保証される（既存のＵＩＣＣ標準と類似している）、２）異なるｅＳＩＭベンダーからのＡＩＤはｅＵＩＣＣに重複しうる。
【００１６】
ｅＵＩＣＣ  ＯＳの操作によって、モバイルデバイスはｅＵＩＣＣへ複数の論理チャネルをオープンでき、ＡＩＤコンフリクトを避けられる。すなわち、アプリケーションの関連するｅＳＩＭは、アプリケーションが選択される前に最初に所定の論理チャネルに関連付けられる。このようにｅＵＩＣＣ  ＯＳは、ｅＳＩＭが所定の論理チャネルでＡＩＤと関連することを知ることができる。それぞれのアプリケーションはＳＥＬＥＣＴ（ｅＳＩＭ  ＩＤ，ＡＩＤ）コマンドによりユニークに識別される。端末（すなわちベースバンドプロセッサ）は、例えばさまざまなｅＳＩＭ  ＩＤを管理することにより、ｅＵＩＣＣにより管理される異なるｅＳＩＭを知っている。この解答は、インターフェイスに大きな変更なしで実装することができる。
【００１７】
したがって、前述のアプローチはシステムがｅＵＩＣＣ内の異なるｅＳＩＭを識別し、そのコンテンツにアクセスする技術を提供する。より詳しい説明は図１、２、３Ａ、３Ｂ、３Ｃ、４、５Ａ、５Ｂ、５Ｃ、６Ａ、６Ｂ、６Ｃ及び７に関連して以下に明らかにされる。これらの図は、これらの技術が実装されて使われるシステム及び方法の詳しい図を表す。
【００１８】
実施形態に関連する用語は次に説明される。
・ＡＩＤ−ＵＩＣＣ内のアプリケーションを識別するアプリケーション識別情報。ＡＩＤは５バイトの登録されたアプリケーションプロバイダ識別情報（ＲＩＤ）と１１バイトまでの個別利用アプリケーション拡張識別情報（ＰＩＸ）とを有する。アプリケーションのＡＩＤは、所定のＵＩＣＣにおいてユニークにできる。ＡＩＤはカードが用意される間、例えばベンダーによる製造処理の間に決定される。
・ＡＰＤＵ−アプリケーション  プロトコル  データ  ユニット
・ＥＵＭ−ｅＵＩＣＣ製造者
・ＩＣＣＩＤ−集積回路カードＩＤ−ｅＵＩＣＣ内のｅＳＩＭを識別するためのユニークな番号。
・ＩＭＳＩ−国際携帯機器加入者識別情報。ＩＭＳＩは、ユーザを識別し、モバイルデバイスをネットワークとユーザサービスに所属させる、ＭＮＯが所有し発行するユニークな識別情報。
・ＭＣＣ−モバイル国コード
・ＭＮＯ−移動通信事業者。モバイルネットワークインフラストラクチャを通して顧客にアクセス能力と通信サービスを提供するエンティティ。
・ＯＴＡ  プラットフォーム−無線（ｏｖｅｒ  ｔｈｅ  ａｉｒ）プラットフォーム。ＵＩＣＣのリモート管理に使用され、ｅＵＩＣＣのｅＳＩＭをイネーブルするＭＮＯベースのプラットフォーム。
・ＳＩＭ−加入者識別モジュール
・ｅＳＩＭ−電子的ＳＩＭ。ｅＳＩＭはソフトウェアベースのＳＩＭ、あるいは「ソフトＳＩＭ」。ｅＳＩＭは、ｅＵＩＣＣに供給あるいは存在する、ファイル構造、データ及びアプリケーションの組合せが可能である。
・ＳＭ-ＳＲ−サブスクリプション  マネージャ−  セキュア  ルーチング（ｓｕｂｓｃｒｉｐｔｉｏｎ  ｍａｎａｇｅｒ  ｓｅｃｕｒｅ  ｒｏｕｔｉｎｇ）
・ＵＩＣＣ−ユニバーサル  集積回路カード
・ｅＵＩＣＣ−組込み形ＵＩＣＣ
・ＵＳＩＭ−ユニバーサル加入者識別モジュール。ＵＳＩＭはＵＭＴＳのためのネットワークアクセスアプリケーション（ＮＡＡ）である。ＵＩＣＣ上のＵＳＩＭは加入者を識別する情報を含むことができる。
【００１９】
ここに記載のさまざまな実施形態に従って、用語「無線通信デバイス」、「無線デバイス」、「モバイルデバイス」、「モバイルステーション」及び「ユーザ端末（ＵＥ）」は、ここに開示される実施形態に関連する処理手順を実行することができる１以上の一般的な家庭用電子機器を記述するために交換可能に使用することができる。さまざまな実施形態に従えば、これらの家庭用電子機器のうちのいずれか1つは、ワイヤレスワイドエリアネットワーク（ＷＷＡＮ）、ワイヤレスメトロエリアネットワーク（ＷＭＡＮ）、ワイヤレスローカルエリアネットワーク（ＷＬＡＮ）、ワイヤレスパーソナリエリアネットワーク（ＷＰＡＮ）、近距離無線通信（ＮＦＣ）、セルラー無線ネットワーク、第４世代（４Ｇ）ＬＴＥ、ＬＴＥアドバンス（ＬＴＥ−Ａ）、５Ｇまたは他の現在のあるいは将来開発されるセルラー無線ネットワーク等で通信に使われる１以上の無線通信プロトコルによって無線通信ができるセルラーフォンまたはスマートフォン、タブレットコンピュータ、ラップトップコンピュータ、ノートブックコンピュータ、パーソナルコンピュータ、ネットブックコンピュータ、メディアプレーヤデバイス、電子ブック、ＭｉＦｉ（登録商標）デバイス、ウェアラブルコンピューティングデバイス、及び同様な他のタイプのコンピューティングデバイスに関係する。
【００２０】
いくつかの実施形態では無線通信デバイスは、局、クライアントワイヤレスデバイス、クライアント通信デバイスと呼ばれるワンセットのクライアントデバイスを含み、無線通信システムの一部として動作することができ、例えば、ＷＬＡＮの一部、ＷＰＡＮの一部、またはアドホック無線ネットワーク等のアクセスポイント（ＡＰ）に接続される。いくつかの実施形態では、クライアントデバイスは、ワイヤレスローカルエリアネットワーク通信プロトコルに従うＷＬＡＮ技術による通信が可能な無線通信デバイスである。いくつかの実施形態では、ＷＬＡＮ技術はＷｉ−Ｆｉ（またはより一般的にはＷＬＡＮ）無線通信サブシステムまたは無線機を含む。Ｗｉ−Ｆｉ無線機は、１以上のＩＥＥＥ８０２．１１ａ、ＩＥＥＥ８０２．１１ｂ、ＩＥＥＥ８０２．１１ｇ、ＩＥＥＥ８０２．１１−２００７、ＩＥＥＥ８０２．１１ｎ、ＩＥＥＥ８０２．１１−２０１２、ＩＥＥＥ８０２．１１ａｃ、または現在のあるいは将来開発される８０２．１１技術等の米国電気電子学会（ＩＥＥＥ）８０２．１１技術を実装することができる。
【００２１】
さらに、ここに記載されるＵＥは異なる第３世代（３Ｇ）または第２世代（２Ｇ）のＲＡＴにより通信できるマルチモード通信デバイスに構成されてもよい。これらのシナリオでは、マルチモードＵＥは、より低いデータレートスループットの従来の３Ｇに比べ、より早いデータレートスループットを提案するＬＴＥに接続するのを優先できる。例えば、いくつかの実施形態では、マルチモードＵＥは、ＬＴＥまたはＬＴＥ−Ａネットワークが使えないときに、エボルブド（ｅｖｏｌｖｅｄ）高速パケットアクセス（ＨＳＰＡ＋）ネットワーク、符号分割多元接続（ＣＤＭＡ）２０００、エボリューション（ｅｖｏｌｕｔｉｏｎ）データオンリー（ＥＶ−ＤＯ）ネットワークなどの従来の３Ｇネットワークへフォールバックするように構成されてもよい。
【００２２】
図１は、いくつかの実施形態に従って、記載されているさまざまな技術を実装するように構成されるシステム１００の異なる構成要素のブロック図を表す。詳しくは、図１はシステム１００の高レベルな外観を表し、モバイルデバイス１０２、１以上の基地局１１２、１以上のＭＮＯ１１４を含むことを示している。一実施形態によれば、モバイルデバイス１０２は、少なくとも1つの基地局１１２を経由して少なくとも1つのＭＮＯ１１４と通信が可能な無線通信デバイス（例えば、スマートフォン、タブレット、ラップトップ等）を表す。図１に示すように、モバイルデバイス１０２はプロセッサ１０４，メモリ１０６、ｅＵＩＣＣ１０８及びベースバンドプロセッサ１１０を有することができる。ｅＵＩＣＣ１０８は、例えば、モバイルデバイス１０２のシステムボードに組み込まれ、従来の取り外し可能なＵＩＣＣよりも柔軟な環境を提供するように構成されるハードウェア要素である。以下により詳しく記載されるように、ｅＵＩＣＣ１０８は、ここに記載される技術によりｅＵＩＣＣ１０８がｅＳＩＭを管理することを可能にするいろいろなハードウェア及びソフトウェアの構成要素を有することができる。
【００２３】
図２は、一実施形態による、図１のモバイルデバイス１０２の詳しい図２００である。図２に示されるように、モバイルデバイスＯＳ２０２と１以上のアプリケーション２０４は、プロセッサ１０４及びメモリ１０６によりモバイルデバイス１０２で実行できる。図２はｅＵＩＣＣ１０８が有するさまざまなハードウェア及びソフトウェア構成要素を示す。より詳しくは、ｅＵＩＣＣ１０８は、ｅＵＩＣＣ  ＯＳ２１４に、ｅＵＩＣＣ１０８で実行して１以上のｅＳＩＭ２１６を管理できるようにする、プロセッサ２１０、メモリ２１２を有する。この構成により、プロセッサ１０４，プロセッサ２１０及びベースバンドプロセッサ１１０は、モバイルデバイス１０２が少なくとも1つのＭＮＯ１０４により提供されるサービスへアクセスできるようにするために協力して動作する。
【００２４】
図３Ａは、第１アプリケーション３０６及び第２アプリケーション３０８、及びアプリケーションファイル構造３０４を有するｅＳＩＭ３０２のブロック図３００を表す。図３Ａに示されるように、第１アプリケーション３０６及び第２アプリケーション３０８は、それぞれアプリケーション識別情報、第１ＡＩＤ３０７及び第２ＡＩＤ３０９により識別される。第１アプリケーション３０６及び第２アプリケーション３０９は、ｅＳＩＭ３０２に関連するＭＮＯにより提供される異なるアプリケーションを表す。アプリケーション識別情報、第１ＡＩＤ３０７及び第２ＡＩＤ３０９により、モバイルデバイス１０２は第１アプリケーション３０６か第２アプリケーション３０８の何れかにユニークにアクセスすることができる。図３Ｃに関して詳しく後述するように、このアクセス能力は、モバイルデバイス１０２がアプリケーションファイル構造３０４に適切にアクセスすることを可能にする。
【００２５】
図３Ｂは、第１ｅＳＩＭ３５４及び第２ｅＳＩＭ３５６として表される複数のｅＳＩＭ２１６を記憶するｅＵＩＣＣ３５２のブロック３５０を表す図である。この実施例では、第１ｅＳＩＭ３５４と第２ｅＳＩＭ３５６に関連するアプリケーション（図２Ｂに不図示）は同じアプリケーション識別情報、第１ＡＩＤ３０７で識別される。したがって、第１ｅＳＩＭ３５４と第２ｅＳＩＭ３５６のアプリケーションは同じアプリケーションでありうる。そしてアプリケーションは異なるＭＮＯにより提供されうる。図３Ｂを参照すると、ＩＣＣＩＤは、第１ｅＳＩＭ３５４及び第２ｅＳＩＭ３５６について同じである。ベースバンドプロセッサ１１０がＩＣＣＩＤを読む場合に、ユニークなアプリケーション識別情報（したがってアプリケーション）が識別できないので、コンフリクトがありうる。従って、アプリケーションファイル構造が適切に識別されないだろう。
【００２６】
図３Ｃは、図３ＡのｅＳＩＭ３０２についてのアプリケーションファイル構造３０４の詳細３７０を示す図である。ファイル識別情報（ＦＩＤ）は特定のファイルを指し識別するのに使用される。図３Ｃに含まれるファイルタイプは以下である。
・個別ファイル（ｄｅｄｉｃａｔｅｄ  ｆｉｌｅ（ＤＦ））：アクセス条件やオプションで基本ファイル（ｅｌｅｍｅｎｔａｒｙ  ｆｉｌｅ（ＥＦ））または他の個別ファイルを含む。ＤＦは、ＦＩＤにより参照される。
・アプリケーション個別ファイル（ＡＤＦ）：アプリケーションへのエントリポイント。アプリケーションＤＦ（ＡＤＦ）はアプリケーションの全てのＤＦとＥＦを含む特定のＤＦ。
・基本ファイル（ＥＦ）：有効なＩＭＳＩ値は、ＳＩＭカード製造時にＳＩＭ内のＩＭＳＩ基本ファイル（ＥＦ  ＩＭＳＩ）にデフォルトで存在しなければならない。
・マスタファイル（ＭＦ）
【００２７】
アプリケーションはＡＩＤによりユニークに識別され、ＥＦＤＩＲから得られる。ＡＩＤはアプリケーションを選択するのに使用される。ＥＦＤＩＲ、ＥＦＰＬ及びＥＦＩＣＣＩＤは必須であり、ＭＦの下に直接にある。ＤＦＴＥＬＥＣＯＭはオプションであり、存在する場合は、ＭＦの下にある。ＤＦＴＥＬＥＣＯＭはアプリケーション独立な情報を含むことができる。
【００２８】
図４はｅＵＩＣＣ内に含まれる特定のｅＳＩＭのアプリケーションを選択するためのタイミングチャート４００を表す。処理はモバイルデバイス１０２のベースバンドプロセッサ１１０が通信のためのチャネルを要求することで開始する。ｅＵＩＣＣは例えばチャネル１を選択して応答する。ベースバンドプロセッサ１１０はＳＥＬＥＣＴ（ＡＩＤ）コマンドを送り、指定されるＡＩＤに関連するアプリケーションへアクセスを要求する。ベースバンドプロセッサ１１０は、他のアプリケーションへアクセスするためにこの処理を繰り返すことができる。したがって、２つの並列のセッションはアクティブになりうる。この方法は、図３Ａに記載された構造のｅＳＩＭ内の適切なアプリケーションを選択するのにはうまくいく。しかし、ｅＵＩＣＣ内（例えば図３Ｂ）に複数のｅＳＩＭがある場合には、アプリケーションが同じでありうるので、コンフリクトが生じうる。アプリケーションは異なるＭＮＯにより発行され、ｅＳＩＭは同じＩＣＣＩＤを有することができる。その結果、例えば、第１ＡＩＤ３０７のようにアプリケーション識別情報が同じになりうるので、図４の方法は適切なアプリケーションファイル構造を識別できないかもしれない。
【００２９】
図５Ａは、アプリケーションを有する複数のｅＳＩＭの中から1つのｅＳＩＭのアプリケーションを選択し、アクセスすることを示すタイミングチャートである。最初にベースバンドプロセッサ１１０は、ＳＥＬＥＣＴ（ｅＳＩＭ  ＩＤ）コマンドを、ｅＳＩＭを識別しかつｅＳＩＭへのアクセスを要求するｅＵＩＣＣへ送る。ｅＵＩＣＣは、応答としてアクティブ状態を示す受信確認（ａｃｋｎｏｗｌｅｄｇｅｍｅｎｔ）メッセージ（例えば、ＯＫ）を送信する。モバイルデバイス１０２が非作動中であれば、ベースバンドプロセッサ１１０はｅＳＩＭへアクセスすることはできない。ＭＮＯの規制に基づいて、一時には1つのｅＳＩＭしか作動できない。ＳＥＬＥＣＴ（ｅＳＩＭ  ＩＤ）は、例えば第１ｅＳＩＭ３５４または第２ｅＳＩＭ３５６のように特定のｅＳＩＭを選択できる。図５Ｂに記載のＰ１及びＰ２は、次により詳しく記載するが、例えばｅＳＩＭ選択のように、ＳＥＬＥＣＴコマンドのタイプを指定する値を有することができる。第１ｅＳＩＭ３５４と第２ｅＳＩＭ３５６との間を切り替えるために、ベースバンドプロセッサ１１０は「非選択」コマンドを発行でき、新しい選択をする。例えば、ＳＥＬＥＣＴ（Ｐ１，Ｐ２）は最初のｅＳＩＭを非選択にすることを示し、ＳＥＬＥＣＴ（Ｐ３，Ｐ４）は２番目のｅＳＩＭを選択することを示す。
【００３０】
ｅＳＩＭが作動しているときは、ベースバンドプロセッサ１１０は、特定のアプリケーション（そしてアプリケーションファイル構造）に対する要求を表すＳＥＬＥＣＴ（第１ＡＩＤ３０７）コマンドで応答することができる。ｅＵＩＣＣからの肯定応答の後、ベースバンドプロセッサ１１０は、特定のアプリケーションを選択するためにＳＥＬＥＣＴ（ＩＣＣＩＤ）を送信することができる。ｅＵＩＣＣからの肯定応答の後に、ベースバンドプロセッサ１１０はＲＥＡＤ  ＢＩＮＡＲＹコマンドをｅＵＩＣＣへ送信することができる。ＲＥＡＤ  ＢＩＮＡＲＹ応答メッセージはトランスペアレントな構造を持つＥＦのコンテンツを含むことができる。さらにｅＳＩＭは、ｅＵＩＣＣが特定のＭＮＯを選択するようにプログラムされるのを防ぐ補助ロック（ｓｕｂｓｉｄｙ  ｌｏｃｋ）を有することができる。補助ロックは、ＭＣＣ／ＭＮＣ選択を制限することができる。
【００３１】
図５Ｂはタイミングチャート５００をサポートするフレーム構造５５０である。図５Ｂに示すように、フレーム構造５５０はＡＰＤＵヘッダとｅＳＩＭ  ＩＤを有する。ＡＰＤＵヘッダは、次のフレームを含む：ＳＥＬＥＣＴ  ＣＬＡＳＳ、ＩＮＳ（命令コード）、Ｐ１／Ｐ２、ＬＥＮ（長さ）。ＡＰＤＵヘッダはｅＵＩＣＣオペレーションについての標準に含まれる。標準に含まれる同じＩＮＳコードがタイミングチャート５００において利用される。アプリケーションのユニークな識別情報を提供するために、Ｐ１／Ｐ２フレームは標準に含まれていない特別な値を割り当てられる。このＰ１／Ｐ２のプログラミングにより、ベースバンドプロセッサ１１０はタイミングチャート５００に示される通信方法を実行することができる。このように、ベースバンドプロセッサ１１０は関心のあるアプリケーションを選択し、アクセスすることができる。前述したように、ｅＳＩＭ  ＩＤは、ｅＵＩＣＣに存在あるいは提供されたファイル構造、データ及びアプリケーションの組合せであり、イネーブルされると特定のモバイルネットワークインフラストラクチャへアクセスすることを許容する。
【００３２】
図５Ｃは、図５Ａ及び図５Ｂに関連する方法を表すフローチャート５７０である。フローチャートのステップはベースバンドプロセッサ１１０により実行され、次のように実行される。
１．ｅＳＩＭ５７２を識別するためにｅＵＩＣＣへＳＥＬＥＣＴ（ｅＳＩＭ  ＩＤ）コマンドを送信する。−５７２
２．受信確認を受信後、識別情報「第１ＡＩＤ」に関連するアプリケーションを選択するためにＳＥＬＥＣＴ（第１ＡＩＤ）コマンドをｅＵＩＣＣへ送信する。−５７４
３．受信確認を受信後、ＩＣＣＩＤを確認（ｃｏｎｆｉｒｍ）しかつファイル構造（例えばアプリケーションファイル構造３０４）を有するｅＳＩＭを選択するためにＳＥＬＥＣＴ（ＩＣＣＩＤ）コマンドを送信する。−５７６
４．受信確認を受信後、特定のファイルを指定するＲＥＡＤ  ＢＩＮＡＲＹコマンドを送信する。−５７８
５．特定のファイルを受信する。−５８０
【００３３】
特に、この方法は標準にデザインされたｅＵＩＣＣと後方互換性がある。すなわち、ｅＵＩＣＣ  ＯＳは最後に選択されたｅＳＩＭを記憶できる。ここでｅＳＩＭ  ＩＤはｅＳＩＭを選択する。Ｐ１／Ｐ２コーディングは、例えばｅＳＩＭを選択するための選択コマンドのような、ＳＥＬＥＣＴコマンドの特定のタイプを決定する。
【００３４】
図６Ａは第１ｅＳＩＭ６０４と第２ｅＳＩＭ６０６とを有するｅＵＩＣＣ６０２のブロック図６００である。図６Ａに示されるように、第１ｅＳＩＭ６０４と第２ｅＳＩＭ６０６とはＡＩＤが「ｎ」であるアプリケーションを有しており、これはｅＵＩＣＣが実行されるときに生じうる問題を示している。特に、異なるｅＳＩＭは、異なる調整されていないソースに由来してもよく、ここでこれらソースはｅＳＩＭプロバイダ＃１（例えばＡＴ＆Ｔ）とｅＳＩＭプロバイダ＃２（例えばＴ−モバイル）として示される。異なるソースはｅＳＩＭに含まれるアプリケーションについて同じＡＩＤを使うことができる。このことはＡＩＤにより特定のアプリケーションへアクセスするときにコンフリクトを生じうる。したがって、ｅＵＩＣＣが、異なるソースから供給された同じアプリケーションを持つ複数のｅＳＩＭを有する場合、コンフリクトが生じうる。
【００３５】
前述の問題への解答は図６Ｂのブロック図６５０に説明される。図６Ｂに示されるように、ブロック図６５０は第１ｅＳＩＭ６７４と第２ｅＳＩＭ６７６とを有するｅＵＩＣＣ６７２を含んでいる。これらの各ｅＳＩＭは同じアプリケーションとＡＩＤをサポートする。すなわち、図６Ｂで、ＡＰＰ、ＡＩＤ＝ｎである。ここで、ｅＵＩＣＣ６７８は、ｅＳＩＭの識別情報（例えば、ｅＳＩＭ  ＩＤ）とアプリケーション識別情報（ＡＩＤ）とによりアプリケーション情報のターミナル６８０（すなわち図１のベースバンドプロセッサ１１０）への送信を調整するように構成されている。より詳しくは、ｅＵＩＣＣ  ＯＳ６７８は、（ｅＳＩＭ  ＩＤ，ＡＩＤ）を使って論理チャネルを確立するように構成される。これらの論理チャネルは、生じるかも知れない説明した起こりうるコンフリクトを除去する。
【００３６】
ブロック図６５０の実施形態はいくつかの機能をサポートする。同じｅＳＩＭ内のＡＩＤはユニークである。すなわち、従来のＵＩＣＣと同様にｅＳＩＭベンダーにより保証される。しかし、異なるｅＳＩＭからのＡＩＤは、異なるｅＳＩＭの間でｅＵＩＣＣにおいて重複しうる。ＡＩＤのコンフリクトはｅＵＩＣＣ  ＯＳ６７８の操作によって避けることができる。アプリケーションに関して、それと関連するｅＳＩＭは、アプリケーションが選択される前に所定の論理チャネルで最初に選択されなければならない。したがって、ｅＵＩＣＣ  ＯＳ６７８はどのｅＳＩＭが所定の論理チャネルでこのＡＩＤに関連するかを知っていることができる。それぞれのアプリケーションは、コマンド（ｅＳＩＭ  ＩＤ，ＡＩＤ）によりユニークに識別される。ターミナルはｅＳＩＭ  ＩＤによりｅＵＩＣＣ上の異なるｅＳＩＭを知っている。他の実施形態では、複数のｅＳＩＭは複数の論理チャネルを使ってｅＵＩＣＣで作動することができる。それぞれの論理チャネルは異なるＭＮＯを同時に選択することができる。したがって、モバイルデバイス１０２は２以上のＭＮＯに同時にアクセスすることができる。
【００３７】
図６Ｃは、図６Ａ及び図６Ｂに関連する方法についてのフローチャート６７０を示す。方法は次のステップを有し、ステップは図６ＢのｅＵＩＣＣ  ＯＳ６７８により実行される。
１．ｅＳＩＭを特定の論理チャネルに関係させる。−６７２
２．ＡＩＤをｅＳＩＭに関係させる。−６７４
３．モバイル端末（例えば、図６Ｂのモバイル端末６８０）に、本願記載の｛ｅＳＩＭ  ＩＤ、ＡＩＤ｝コマンドを使って論理チャネル経由でＡＩＤへアクセスするように指示する。ターミナル６８０は図１に示され、より詳しく記述されたベースバンドプロセッサ１１０に相当しうる。−６７６
【００３８】
図７は、ここに記載され実施形態に従うさまざまな構成要素を実行するのに使用されるコンピューティングデバイス７００の詳細図である。特に、この詳細図は図１に示されるモバイルデバイス１０２に含まれうるさまざまな構成要素を示している。図７によると、コンピューティングデバイス７００は、コンピューティングデバイス７００の全体の動作を制御するためのマイクロプロセッサまたは制御装置に相当するプロセッサ７０２を有することができる。コンピューティングデバイス７００は、コンピューティングデバイスのユーザがコンピューティングデバイス７００と情報をやりとりするためのユーザ入力デバイス７０８を備えることができる。例えば、ユーザ入力デバイス７０８は、ボタン、キーパッド、ダイアル、タッチスクリーン、音声入力インターフェイス、光学／画像入力インターフェイス、センサーデータの形式の入力等の多様な形式をとりうる。さらに、コンピューティングデバイス７００は、ユーザへ情報を表示するためにプロセッサ７０２により制御される表示部７１０（スクリーン表示）を有することができる。データバス７１６は、少なくとも記憶装置７４０、プロセッサ７０２および制御装置７１３の間のデータ伝送を容易にすることができる。制御装置７１３は、機器制御バス７１４によりインターフェイスでき、機器制御バスを通して異なる機器を制御することができる。コンピューティングデバイス７００は、データリンク７１２に接続するネットワーク／バスインターフェイス７１１を有することができる。無線接続の場合、ネットワーク／バスインターフェイス７１１は無線送受信装置を有することができる。
【００３９】
コンピューティングデバイス７００は、単一の記憶装置または複数の記憶装置を備えることができ、記憶装置７４０の１以上のパーティションを管理するための記憶管理モジュールを備える記憶装置７４０を有することができる。いくつかの実施形態では、記憶装置７４０はフラッシュメモリ、半導体（固体）メモリや同様なものを含むことができる。コンピューティングデバイス７００はランダムアクセスメモリ（ＲＡＭ）７２０や読み出し専用メモリ（ＲＯＭ）７２２も含みうる。ＲＯＭ７２２はプログラム、ユーティリティ、プロセスを不揮発に記憶することができる。ＲＡＭ７２０は揮発性のデータ記憶を提供し、ここに記載のものと異なるソフトウェア処理の動作に関連する命令を記憶することが可能である。コンピューティングデバイス７００はさらに、図１、２に記載され説明されるｅＵＩＣＣで表わされうるセキュアエレメント（ｓｅｃｕｒｅ  ｅｌｅｍｅｎｔ）７５０を有することができる。
【００４０】
説明した実施形態のさまざまな側面、実施形態、実行または特徴は別個にあるいは組み合わされて使用することができる。実施形態のさまざまな側面はソフトウェア、ハードウェアまたはハードウェアとソフトウェアの組合せにより実装されることができる。また、実施形態はコンピュータ可読媒体のコンピュータ可読コードとして実現することもできる。コンピュータ可読媒体は、コンピュータシステムにより後で読み出されることができるデータを記憶できるあらゆるデータ記憶デバイスである。コンピュータ可読媒体の例は、読み出し専用メモリ、ランダムアクセスメモリ、ＣＤＲＯＭ、ＤＶＤ、磁気テープ、ハードディスクドライブ、固体ドライブ、光学データ記憶デバイスを含む。コンピュータ可読媒体は、コンピュータ可読コードが分散形式で記憶されて実行されるように、ネットワーク接続されたコンピュータシステムに分散されることができる。
【００４１】
上述の説明は、説明の目的であり、実施形態の説明の全ての理解のために特定の用語を使っている。しかし、当業者には特定の詳細が説明された実施形態を実行するために必要ではないことは明らかである。上述の特定の実施形態の記述は説明および例示のために存在する。これらは網羅的であることおよび実施形態を開示された明確な形に限定することを意図していない。当業者には上述の教示を考慮して多くの修正や変更が可能である。
【図１】
2016029791.tif 000003
【図２】
2016029791.tif 000004
【図３Ａ】
2016029791.tif 000005
【図３Ｂ】
2016029791.tif 000006
【図３Ｃ】
2016029791.tif 000007
【図４】
2016029791.tif 000008
【図５Ａ】
2016029791.tif 000009
【図５Ｂ】
2016029791.tif 000010
【図５Ｃ】
2016029791.tif 000011
【図６Ａ】
2016029791.tif 000012
【図６Ｂ】
2016029791.tif 000013
【図６Ｃ】
2016029791.tif 000014
【図７】
2016029791.tif 000015
【外国語明細書】
2016029791000001.pdf